(57)【要約】  弦楽器に一時的に機器を固定するための支持体が、一体に結合された一組の横方向に延在するプレートを備え、各々がそれらの１つの面上に弾性材料を含む少なくとも１つの層を具備する。プレートは、楽器のナットの上方に延在する弦の部分にクランプ装置で取り付けられるようになされる。面は、相互に面する弾性層を装備して、それにより弾性材料は弦を摩擦によって係合する。支持体はまた、典型的に細長い部材を備え、それは、一方の端部で少なくとも１つのプレートに枢動可能に取り付けられ、他方の端部で機器を保持及び支持するようになされた、様々な形態が想定できる保持機構に取り付けられることが好ましい。
2013500502.tif 000002
【特許請求の範囲】
【請求項１】
ａ）ｉ）第１の面と第２の面とを具備し、前記第１の面が、該第１の面に取り付けられた弾性材料を含む第１の層を備える、第１の横方向に延在するプレートと、
ｉｉ）第３の面と第４の面とを具備し、前記第３の面が、該第３の面に取り付けられた弾性材料を含む第２の層を備える、第２の横方向に延在するプレートと、
ｉｉｉ）弦楽器の少なくとも１つの弦を摩擦によって係合できるように、前記第１のプレートと第２のプレートとを一体に結合する連結要素と
を備えるクランプ機構と、
ｂ）前記クランプ機構に結合され、機器を保持するように構成される保持機構と
を備える弦楽器に使用するための支持体。
【請求項２】
前記第１の層が、一連の交互に配置された稜部及び溝部を備える、請求項１に記載の支持体。
【請求項３】
前記第２の層が、一連の交互に配置された稜部及び溝部を備える、請求項２に記載の支持体。
【請求項４】
前記第１の層の前記交互に配置された稜部及び溝部、並びに、前記第２の層の前記交互に配置された稜部及び溝部がそれぞれ位置合わせされる、請求項３に記載の支持体。
【請求項５】
前記第１の層の前記交互に配置された稜部及び溝部、並びに、前記第２の層の前記交互に配置された稜部及び溝部が、それぞれ相互に埋め合わせる、請求項３に記載の支持体。
【請求項６】
前記連結要素が、前記第１のプレート及び前記第２のプレートを連結する連結部分である、請求項１に記載の支持体。
【請求項７】
前記連結部分が、前記第１のプレート及び前記第２のプレートを相互に向かって弾性的に付勢する、請求項６に記載の支持体。
【請求項８】
前記第１の層及び前記第２の層が少なくとも部分的に相互に接触する、請求項７に記載の支持体。
【請求項９】
前記クランプ機構が実質的にＵ字状である、請求項６に記載の支持体。
【請求項１０】
前記クランプ機構が一体のものとして構成されている、請求項６に記載の支持体。
【請求項１１】
前記連結要素が前記第１のプレート及び第２のプレートの両方に連結されたバネであり、前記バネが前記第１のプレート及び第２のプレートを相互に向かって付勢する、請求項１に記載の支持体。
【請求項１２】
前記第１のプレートが、前記バネを越えて延出する第１の突出部分を更に備え、前記第２のプレートが、前記バネを越えて延出する第２の突出部分を更に備える、請求項１１に記載の支持体。
【請求項１３】
前記連結要素が丁番であり、それによって、前記第１のプレートが前記第２のプレートに対して枢動できる、請求項１に記載の支持体。
【請求項１４】
前記第１のプレートが第１の固定機構を備え、前記第２のプレートが第２の固定機構を備え、前記第１及び第２の固定機構が、固定する配置で相互に係合するように構成される、請求項１３に記載の支持体。
【請求項１５】
前記保持機構が玉継手を介して前記クランプ機構に連結される、請求項１に記載の支持体。
【請求項１６】
前記保持機構が２つの玉継手及び細長い部材を介して前記クランプ機構に連結され、前記２つの玉継手が前記細長い部材の各端部にそれぞれ位置する、請求項１に記載の支持体。
【請求項１７】
弦楽器に使用するための支持体であって、前記支持体が機器を支持するように構成され、前記支持体が、第１の面と、第２の面と、前記第１の面に取り付けられた弾性材料を含む第１の層とを備える第１の横方向に延在する部分と、第３の面と、第４の面と、前記第３の面に取り付けられた弾性材料を含む第２の層とを備える第２の横方向に延在する部分と、前記第１の部分と第２の部分とを一体に連結する連結部分とを備え、前記弦楽器の少なくとも１つの弦と摩擦的に係合できるように、前記第１及び第２の層が相互に面し、少なくとも部分的に相互に接触する、実質的にＵ字状のクランプを備え、前記支持体が、前記クランプに結合され、前記機器を保持するように構成された保持機構を更に備える、支持体。
【請求項１８】
前記保持機構が玉継手を介して前記クランプに連結される、請求項１７に記載の支持体。
【請求項１９】
前記保持機構が２つの玉継手及び細長い部材を介して前記クランプに連結され、前記玉継手がそれぞれ前記細長い部材の各端部に位置する、請求項１７に記載の支持体。
【発明の詳細な説明】
【技術分野】
【０００１】
本出願は、参照により本明細書に組み込まれている、２００９年７月２７日に米国特許商標庁に出願した「Ｄｅｖｉｃｅ  Ｓｕｐｐｏｒｔ  ｆｏｒ  ａ  Ｓｔｒｉｎｇｅｄ  Ｉｎｓｔｒｕｍｅｎｔ」という名称の米国仮出願第６１／２２８，６３１号の優先権の利益を主張する。
【０００２】
本発明は、概ね支持体に関し、より具体的には、弦楽器に取り付けられるようになされる支持体に関する。
【背景技術】
【０００３】
ギター又は任意の他の弦楽器の演奏を学ぶことは複雑で、必要な何回もの反復が課せされる。それは一般に、とりわけ指位置、音符、コード列等の記憶を必要とする。各音符又はコードの押え方は一般に、学習中の奏者がどの弦をはじくのか、どのフレット位置を押えるのか、どのかき鳴らしパターンを使うのか、どの弦効果を使うのか、どのテンポに従うのかを記憶することを必要とする。それはまた、学習中の奏者が次の位置を分かっていることを必要とする。
【０００４】
全てのこれらの情報は、初心の奏者にとって過度な場合がある。従って、学習中の奏者が全てのこれらの情報をより良く処理することを支援するために、これらの情報のいくつかを表示する複数の電子学習機器が、何年かの間に提案された。提案された機器及びシステムの非包括的な実例が、米国特許第４，０８０，８６７号、第４，３１８，３２７号、第４，９１５，００５号、第５，４０８，９１４号及び第７，３５５，１１０号に例示される。これらの機器は、実用的ではあるが、通常、楽器に恒久的に取り付けられ、それによって、それらの交換可能性を制限する。実際、学習中の奏者がこのような学習機器を他の楽器で使用し、又は、同じ楽器で学習機器を他のものに迅速に交換できることが実際に役立つ場合が多い。
【０００５】
この意味で、手持ちの学習機器が提案された。しかし、楽器を演奏しながら、それらを使用することは一般に厄介である。
【０００６】
従って、上記から明らかなように、弦楽器に取り付け可能で、学習機器及び他の電子機器の様々なタイプを一時的に固定するようになされた支持体の必要性が存在する。
【先行技術文献】
【特許文献】
【０００７】
【特許文献１】米国特許第４，０８０，８６７号
【特許文献２】米国特許第４，３１８，３２７号
【特許文献３】米国特許第４，９１５，００５号
【特許文献４】米国特許第５，４０８，９１４号
【特許文献５】米国特許第７，３５５，１１０号
【発明の概要】
【発明が解決しようとする課題】
【０００８】
弦楽器のための支持体を提供することが本発明の全般的な目的である。
【課題を解決するための手段】
【０００９】
好ましいが非限定的な本発明の実施例によると、支持体は典型的に、一組の横方向に延在するプレートを備え、各々がそれらの１つの面上に弾性材料を含む層を具備する。プレートは、弦の音に影響しないように、楽器のナットを超えて延在する弦の部分にクランプ装置で取り付けられるように更に構成される。
【００１０】
プレートは、それらのそれぞれの弾性層が相互に面し、好ましくは相互に接触して、弦を摩擦によって係合するように、弦に取り付けられる。
【００１１】
機器を保持及び支持するために、支持体は典型的に細長い部材を更に備え、それは、一方の端部で少なくとも１つのプレートに枢動可能に取り付けられ、他方の端部で機器を保持及び支持するようになされた、様々な形態が想定できる保持機構に取り付けられる。
【００１２】
第１の例示的実施例において、プレートは、概ね一体物の細長いＵ字状のクランプの足部である。この実施例において、プレートは、Ｕ字状のクランプである比較的に半円状である連結部分によって相互に向かって付勢されることが好ましい。
【００１３】
第２の例示的実施例において、プレートはバネによって一体に結合される。
【００１４】
第３の例示的実施例において、プレートは丁番によって一体に結合される。この実施例は更に２つのプレートを一緒に固定するための固定機構を更に備える。
【００１５】
本発明の他の利点及び新規な特徴は、以下に説明される、或いは、添付の特許請求の範囲に示される例示的実施例を理解することで明らかになるだろう。また、本明細書では言及されない様々な利点が、実際に本発明を利用する際に当業者に思いつくだろう。
【００１６】
本発明の上記及び他の目的、特徴及び利点は、添付の図面を参照にして、以下の説明からより容易に明らかになるだろう。
【図面の簡単な説明】
【００１７】
【図１】ギターの弦に取り付けられている、本発明による第１の例示的支持体の斜視図である。
【図２】図１の支持体の側面図である。
【図３】ギターの弦に取り付けられている、本発明による第２の例示的支持体の斜視図である。
【図４】図３の支持体の側面図である。
【図５】本発明による第３の例示的支持体の側面図である。
【図６Ａ】本発明による第４の例示的支持体の上面図である。
【図６Ｂ】本発明による第４の例示的支持体の上面図である。
【図６Ｃ】本発明による第４の例示的支持体の上面図である。
【発明を実施するための形態】
【００１８】
新規な機器支持体が以下に説明される。本発明は、特定の例示的実施例に関して説明されるが、実施例は、本明細書において専ら実例として説明され、本発明の範囲がそれによって限定されることを意図されないことは理解されよう。
【００１９】
非限定的な本発明の実施例によると、概して、支持体は典型的に、一組の横方向に延在するプレートを備え、各プレートがそれらの１つの面上に弾性材料を含む層を具備する。プレートは、弦の音に影響しないように楽器のナットの上方に延在する弦の部分にクランプ装置で取り付けられるように更に構成される。
【００２０】
最初に図１及び２を参照すると、第１の例示的支持体１００が示される。
【００２１】
支持体１００は概ね、一組の横方向に延在するプレート１１０及び１３０を備える。プレート１１０及び１３０は、細長いＵ字状のクランプを画成するように継手部分１５０によって一体に更に連結される。継手部分１５０は２つのプレート１１０及び１３０を相互に向かって僅かに付勢することが好ましい。
【００２２】
各々のプレート１１０及び１３０は、それらの１つの面上に、限定されないがゴム等の柔軟な弾性材料製の少なくとも１つの層を備える。図２に最良に示されるように、弾性層１２０及び１４０は、相互に面し、好ましくは少なくとも部分的に相互に接触するように配置される。
【００２３】
図２に示されるように、弾性層１２０及び１４０は、交互に配置された稜部１２２及び溝部１２４、並びに、稜部１４２及び溝部１４４をそれぞれ備えることが好ましい。稜部１２２及び１４２、並びに、溝部１２４及び１４４は、好ましくは整合されるが、相互に埋め合わせることも可能である（図５の支持体３００を参照）。更に、当業者は、他の層構造が可能であり、本発明の範囲であることを理解するだろう。いずれの場合においても、層１２０及び１４０が様々なサイズの弦を受容できることが概して重要である。この意味で、層１２０及び１４０の弾性材料の柔軟性は概ねそのように受容することを可能にする。
【００２４】
図１に最良に示されるように、弾性層１２０及び１４０はまた、弦楽器ＧのナットＮを超えて延在する弦Ｓの部分と摩擦係合を可能にする。
【００２５】
当業者は、支持体１００が、ナットＮを超えて延在する弦Ｓの部分に取り付けられるため、支持体１００の存在によって弦Ｓの音が影響を受けないことを容易に理解するだろう。
【００２６】
加えて、本実施例において、プレート１１０及び１３０は、楽器ＧのナットＮと同程度の幅であることが好ましい。更に、支持体１００が、様々なタイプの弦楽器（例えばギター、バンジョー、ベース・ギター等）で使用できるように、プレート１１０及び１３０は、そのような楽器のナットよりもより広く、又は、より狭くすることができる。結果的に、支持体１００は、弦Ｓの組の一部だけを覆うこと、又は、ナットＮの幅を超えて延在することができる。
【００２７】
戻って図２を参照すると、当業者は、弾性層１２０及び１４０がプレート１１０及び１３０の自由端部１１５及び１３５を僅かに越えて延在することに留意するだろう。これらの弾性層１２０及び１４０のそれぞれの重畳部分１２６及び１４６は、弦Ｓの上へ支持体１００を取り付けることを容易にするように湾曲していることが好ましい。
【００２８】
支持体１００は、好ましくは、プレート１１０及び１３０を連結する継手部分１５０に取り付けられる玉継手１６０又は任意の他のタイプの関節継手を更に備える。玉継手１６０は保持機構１９０に更に連結されることが好ましい。
【００２９】
本実施例において、保持機構１９０は、支持構造１９６に一体に枢動可能に取り付けられる一組の円板１９２及び１９４を備える。円板１９２及び１９４は、直径方向に対向して配置された少なくとも２つの指部１９３及び１９５（図１及び２には各々の指部１９３及び１９５の１つだけが示される）をそれぞれ備える。ねじりバネ（図示せず）等の付勢機構が、円板の指部を相互に向かって付勢する（図１参照）ように、円板１９２と１９４との間に設けられる。
【００３０】
本実施例において、指部によって保持される機器１０の偶発的なずれを防止するために、指部１９３及び１９５は弾性材料によって被覆されることが好ましい。
【００３１】
図１に示されるように、保持機構１９０は電子機器１０を保持するようになされる。機器１０は、例えばギター・チューナ、コード表示機、カメラ、録音機器等である。理解できるように、支持体１００はある程度の一般性を有することが好ましいので、本発明は任意の特定の種類の機器に限定されない。それでもなお、機器１０の種類は一般的に、保持機構１９０の保持能力によって限定される。
【００３２】
弦Ｓに支持体１００を取り付けるために、使用者は、弦Ｓ上にプレート１１０及び１３０をそれぞれ滑動させる必要があるだけで、弾性層１２０及び１４０は弦Ｓを摩擦によって係合することとなる。支持体１００を取り外すために、使用者は、弾性層１２０及び１４０と弦Ｓとの間の静止摩擦を克服するように充分に強くプレートを引っ張る必要があるだけである。理解できるように、弾性層１２０と１４０の間の静止摩擦は、機器１００が偶発的に弦Ｓから落下又はずれることを防止するように充分に高くなくてはならない。
【００３３】
ここで図３及び４を参照すると、第２の例示的支持体２００が示される。支持体２００は支持体１００の変形例である。その意味で、支持体２００は同様に、継手部分２５０によって接合された２つのプレート２１０及び２３０を備える。同様に、プレート２１０及び２３０は、相互に面し、好ましくは接触する弾性層２２０及び２４０を備える。支持体１００のように、弾性層２２０及び２４０は、交互に配置された稜部２２２及び溝部２２４、並びに、稜部２４２及び溝部２４４をそれぞれ備えることが好ましい。
【００３４】
支持体１００のように、支持体２００は、好ましくは継手部分２５０に玉継手２６０又は任意の同様の接合機構を備える。しかし、支持体２００において、継手２６０は細長い部材２７０に連結され、それ自体が、好ましくは他の玉継手２８０を介して保持機構２９０に連結される。
【００３５】
細長い部材２７０は保持機構２９０とプレート２１０／２３０との間に更なる延長部を形成し、それによって、保持機構２９０と楽器ＧのヘッドＨとの間の間隔を広げることを可能にする。
【００３６】
剛体要素として示されるが、部材２７０は伸縮自在であり、従って、更に長さ調整が可能であり得る。部材２７０は変形可能で可撓であってもよい。
【００３７】
図２及び４から明らかなように、保持機構２９０は保持機構１９０と異なる。保持機構２９０は、支持構造２９６に滑動して取り付けられる２つのＬ字状のプレート２９２及び２９４として実施される。従って、Ｌ字状のプレート２９２及び２９４は、矢印によって示されるように支持構造２９６に対して滑動できる。更に、図３及び４に最良に示されるように、Ｌ字状のプレート２９２及び２９４は、それらの間に取り付けられる機器１０をクランプするために、バネ（図示せず）によって相互に向かって付勢されることが好ましい。
【００３８】
機器１０をより良好に把持するために、Ｌ字状のプレート２９２及び２９４の内側表面はそれぞれ弾性材料製の層２９３及び２９５を備えることができる。
【００３９】
ここで、図５を参照すると、第３の例示的支持体３００が示される。支持体３００も、一組の対向し、且つ、横方向に延在するプレート３１０及び３３０を備える。プレート３１０及び３３０は、弾性材料を含む層３２０及び３４０をそれぞれ備える。層３２０及び３４０も、それぞれ交互に配置された稜部３２２及び溝部３２４、並びに、稜部３４２及び溝部３４４を備える。支持体１００及び２００とは対照的に、支持体３００において、稜部３２２は溝部３４４と位置合わせされ、逆に、稜部３４２は溝部３２４と位置合わせされる。
【００４０】
支持体３００において、プレート３１０及び３３０はバネ等の付勢機構３５０によって一体に結合される。バネ３５０は、楽器Ｇの弦Ｓをクランプできるように、２つのプレートを相互に向かって圧迫する。支持体３００のクランプを外すために、プレート３１０及び３３０はそれぞれ、使用者の指によって相互に向かって押されるようになされる突出部分３１５及び３３５を備える。
【００４１】
図５に示されるように、この第３の実施例において、支持体３００は、プレート３１０又は３３０の１つに取り付けられた玉継手３６０を更に備える。細長い部材３７０が、玉継手３６０に連結され、その他方の端部に取り付けられた他の玉継手３８０を具備する。限定されないが保持機構１９０及び２９０等の保持機構が、図示されないが、一般的に玉継手３８０に取り付けられることとなる。
【００４２】
ここで図６Ａから６Ｃを参照すると、支持体４００の第４の実施例が示される。
【００４３】
支持体４００は、弾性層４２０及び４４０をそれぞれ備える２つのプレート４１０及び４３０を備える。プレート４１０及び４３０は、それらの一方の端部で丁番４５０によって連結され、それらの他方の端部に固定機構４５２及び４５４をそれぞれ備える。固定機構４５２及び４５４は、それらが楽器Ｇの弦Ｓへ適切に据え付けられる場合、２つのプレート４１０及び４３０を一緒に固定するように協働して機能する。支持体４００の据付は図６Ａから６Ｃに最良に示される。
【００４４】
最初に図６Ａを参照すると、下部プレート４１０は楽器Ｇの弦Ｓの下方を滑動する。次いで、図６Ｂに示されるように、プレート４３０は、プレート４３０上に位置する固定機構４５４が、プレート４１０上に位置する相補する固定機構４５２と係合するまで、丁番４５０によって弦Ｓの上へ折りたたまれる。一旦、２つの固定機構４５２及び４５４が適切に相互に固定されると、支持体４００は弦Ｓに固定される。
【００４５】
理解できるように、複数の固定機構４５２及び４５４が使用できる。本発明は任意の特定の固定機構４５２及び４５４に限定されない。
【００４６】
図６Ｃに示されるように、この第４の実施例において、支持体４００は、プレート４１０又は４３０の１つに取り付けられる玉継手４６０を更に備える。玉継手４６０に細長い部材４７０が連結される。限定されないが保持機構１９０及び２９０等の保持機構が図示されないが、通常は、細長い部材４７０の自由端部に直接、又は他の玉継手（図示せず）を介して取り付けられる。
【００４７】
理解できるように、本発明の本実施例は、支持体のそれぞれのプレート上に弾性材料製の層を備えるものとして説明されたが、表現「弾性材料」は、一般的に知られるゴム等の弾性材料の特性と類似の特性（例えば、弾力性、摩擦、付着性等）を示す他の材料を包含するように広範に解釈されるべきである。従って、本発明は、必ずしも一般的に知られる弾性材料に限定されない。
【００４８】
本発明の例示的及び現時点で好ましい実施例が上記に詳細に説明されたが、本発明の概念は、その他にも様々に実施及び利用できること、及び、添付の請求項は、先行技術によって限定される限りの範囲以外の、そのような改良を含むものと解釈されることを意図されることは理解されるべきである。
【図１】
2013500502.tif 000003
【図２】
2013500502.tif 000004
【図３】
2013500502.tif 000005
【図４】
2013500502.tif 000006
【図５】
2013500502.tif 000007
【図６Ａ】
2013500502.tif 000008
【図６Ｂ】
2013500502.tif 000009
【図６Ｃ】
2013500502.tif 000010
【国際調査報告】
2013500502.tif 000011
2013500502.tif 000012